(57)【要約】  【課題】  綱の外表面から昆布の根株部分とその他の海草や貝類などの繁殖物からなる付着物のすべてを確実に除去する。  【解決手段】  海中から陸上に取り出された綱Ｂを、出入部３により貫通孔部２へ向け挿入移動することで、綱Ｂの一部が貫通孔部２内に位置決めされると同時に、綱Ｂが移送路１に沿って移送可能にセットされる。このセット状態で綱Ｂを移送路１に沿って移送させることにより、綱Ｂが貫通孔部２を通過する際に、綱Ｂの外表面Ｂ１から突出する付着物Ｃとなる、昆布の根株部分Ｃ１と海中で養殖期間中に繁殖した他の海草や貝類などの繁殖物Ｃ２が、貫通孔部２に突き当たってその衝撃により掻き取られる。さらに、付着物Ｃの除去作業が終了した後は、綱Ｂを出入部３により貫通孔部２から抜き取り移動させることで、新たな綱Ｂの挿入が可能となる。  【選択図】      図１
0003182811.tif 000002
【実用新案登録請求の範囲】
【請求項１】
海中から陸上に取り出された綱を移送させる移送路と、
前記移送路の途中に前記綱を囲むように設けられる貫通孔部と、
前記貫通孔部の内外に亘って前記綱が前記移送路と交差する方向へ挿入移動及び抜き取り移動自在となるように設けられる出入部と、を備え、
前記貫通孔部は、前記移送路に沿って移送された前記綱の外表面から突出する付着物が当たる大きさに設定されることを特徴とする綱掃除装置。
【請求項２】
前記出入部は、前記貫通孔部の内外に亘って前記移送路と交差する方向へ延びるように形成される出入通路と、
前記出入通路に対する前記綱の挿入移動及び抜き取り移動に連動して前記出入通路内に向け出没移動自在に設けられる前記綱の係止手段と、を有し、
前記出入通路は、その一端に前記綱の出入口を開口させ、他端側に前記係止手段を介して前記貫通孔部が形成されることを特徴とする請求項１記載の綱掃除装置。
【請求項３】
前記出入部は、固定部材に切欠形成される前記出入通路と、
前記固定部材に対し相対的に前記移送路と交差する方向へ移動自在に配置された移動部材に切欠形成される前記綱の前記係止手段と、を有し、
前記移動部材は、前記係止手段が前記出入通路の前記出入口と互いに重なり合う前記綱の出し入れ位置と、前記係止手段が前記貫通孔部と互いに重なり合う前記綱の掻き取り位置とに亘って移動するように作動制御されることを特徴とする請求項２記載の綱掃除装置。
【請求項４】
前記固定部材又は前記固定部材が固定配置される装置本体のいずれか一方か若しくは両方に、前記綱の前記出し入れ位置に前記移動部材を止める第一ストッパーと、前記綱の前記掻き取り位置に前記移動部材を止める第二ストッパーを設けることを特徴とする請求項３記載の綱掃除装置。
【請求項５】
前記移送路に沿って前記綱を動力で強制的に移送させる駆動部を備えることを特徴とする請求項１〜４のいずれかに記載の綱掃除装置。
【考案の詳細な説明】
【技術分野】
【０００１】
本考案は、昆布を含む海草の栽培（養殖）などに用いられる、海中に設置され使用時期を除いて陸上に引き上げる綱の外表面に付着した海草や貝類などの繁殖物を取り除くための綱掃除装置に関する。
【背景技術】
【０００２】
従来、昆布などの養殖は、海中に幹綱を海面と平行に張られた状態とし、あらかじめ種苗センターで管理生産された複数の種苗を、長さ５ｍの養成綱に一定間隔で仮植した後、この養成綱の一端を上述の幹綱に３０ｃｍごとにはさみ込み、これら多数の養成綱の他端にはおもりが付けられているので、養成綱が海中に垂れ下がる。このようにして仮植がなされた種苗を成育させ、成長した昆布を根株から１５〜３０ｃｍのところで切断して、養成綱から採取している（例えば、特許文献１参照）。
【先行技術文献】
【特許文献】
【０００３】
【特許文献１】特開平９−２２４５１０号公報
【考案の概要】
【考案が解決しようとする課題】
【０００４】
また、成長した昆布が採取された後は、昆布の根株部分が付着した養成綱を陸上に引き上げ、手作業で養成綱から昆布の根株部分を取り除いて、来期の養殖に再利用している。
しかし乍ら、このような養成綱は、養殖期間中に亘り海中に沈められているため、昆布以外にもその他の海草や貝類などの繁殖し、これら多数の繁殖物が養成綱の外表面に付着してしまった。
そのため、養成綱の外表面から昆布の根株部分だけでなく、その他の海草や貝類などの繁殖物を含めてすべて完全に除去する作業は、非常に面倒で時間を要し、養成綱の再利用に障害となるという問題があった。
【０００５】
本考案は、このような問題に対処することを課題とするものであり、綱の外表面から昆布の根株部分とその他の海草や貝類などの繁殖物からなる付着物のすべてを確実に除去すること、などを目的とするものである。
【課題を解決するための手段】
【０００６】
このような目的を達成するために本考案は、海中から陸上に取り出された綱を移送させる移送路と、前記移送路の途中に前記綱を囲むように設けられる貫通孔部と、前記貫通孔部の内外に亘って前記綱が前記移送路と交差する方向へ挿入移動及び抜き取り移動自在となるように設けられる出入部と、を備え、前記貫通孔部は、前記移送路に沿って移送された前記綱の外表面から突出する付着物が当たる大きさに設定されることを特徴とする。
【考案の効果】
【０００７】
前述した特徴を有する本考案は、海中から陸上に取り出された綱Ｂを、出入部３により貫通孔部２へ向け挿入移動することで、綱Ｂの一部が貫通孔部２内に位置決めされると同時に、綱Ｂが移送路１に沿って移送可能にセットされ、このセット状態で綱Ｂを移送路１に沿って移送させることにより、綱Ｂが貫通孔部２を通過する際に、綱Ｂの外表面Ｂ１から突出する付着物Ｃとなる、昆布の根株部分Ｃ１と海中で養殖期間中に繁殖した他の海草や貝類などの繁殖物Ｃ２が、貫通孔部２に突き当たってその衝撃により掻き取られる。
したがって、綱の外表面から昆布の根株部分とその他の海草や貝類などの繁殖物からなる付着物のすべてを確実に除去することができる。
その結果、手作業で綱から昆布の根株部分を取り除くとともにその他の海草や貝類などの繁殖物を除去する必要がある従来のものに比べ、綱の再利用が容易で、来期の養殖準備などを短時間で終えることができて便利である。
さらに、付着物の除去作業が終了した後は、綱を出入部により貫通孔部から抜き取り移動させることで、新たな綱の挿入が可能となるため、簡単な操作で付着物の除去作業を連続して行うことができ、作業全体のスピードアップが図れる。
【図面の簡単な説明】
【０００８】
【図１】本考案の実施形態に係る綱掃除装置の全体構成を示す斜視図である。
【図２】同部分拡大正面図であり、（ａ）が綱挿入時を示し、（ｂ）が綱付着物の除去時を示し、（ｃ）が綱抜き取り時を示している。
【図３】綱を除いた綱掃除装置の縮小側面図である。
【図４】同縮小平面図である。
【図５】同縮小底面図である。
【考案を実施するための形態】
【０００９】
以下、本考案の実施形態を図面に基づいて詳細に説明する。
本考案の実施形態に係る綱掃除装置Ａは、図１〜図５に示すように、昆布などの海草を養殖する際に養成綱などとして用いられる、軽くて剛性が高い合成樹脂製又はそれに類似する材料で構成されたロープや紐などからなる綱Ｂにおいて、その外表面Ｂ１に付着した付着物Ｃを、陸上に引き上げた際に除去するものである。
綱Ｂの外表面Ｂ１に付着した付着物Ｃとは、養殖昆布の採取時に残った昆布の根株部分Ｃ１、海中で養殖期間中に繁殖した他の海草や貝類などの繁殖物Ｃ２等である。
詳しく説明すると、本考案の実施形態に係る綱掃除装置Ａは、海中から陸上に取り出された綱Ｂを移送させるための移送路１と、移送路１の途中に綱Ｂを囲むように設けられる貫通孔部２と、貫通孔部２の内外に亘って綱Ｂが移送路１と交差する方向へ挿入移動及び抜き取り移動自在となるように設けられる出入部３と、を主要な構成要素として備えている。
綱掃除装置Ａの具体例としては、図１〜図５に示されるように、その装置本体Ａ１に移送路１、貫通孔部２、出入部３をそれぞれ具備することが好ましい。
【００１０】
移送路１は、装置本体Ａ１の上面などに沿って略直線状に形成され、人力又は動力などによって綱Ｂを一方向へ向け移送（移動）させるように構成されている。
移送路１における綱Ｂの移送方向途中には、貫通孔部２が綱Ｂを囲むように設けられている。
貫通孔部２は、海中から陸上に取り出された綱Ｂの外表面Ｂ１に付いた付着物Ｃとして、昆布の根株部分Ｃ１と海中で養殖期間中に繁殖した他の海草や貝類などの繁殖物Ｃ２を除去するための穿孔である。
貫通孔部２の口径は、移送路１に沿って移送された綱Ｂの外径よりも若干大径で、綱Ｂの外表面Ｂ１から突出する付着物Ｃが突き当たる大きさに設定されている。
【００１１】
出入部３は、貫通孔部２の内側と外側に亘って、綱Ｂを移送路１と交差する方向へ挿入し且つ抜き取り（抜去）が可能となるように構成されている。このような出入部３によって綱Ｂは、貫通孔部２の外側から内側へ向けて挿入するために移動自在となるとともに、その逆に貫通孔部２の内側から外側へ向けて抜き取るために移動自在となる。
好ましくは、出入部３が、貫通孔部２の内側と外側に亘って移送路１と交差する方向へ延びるように形成される出入通路３ａと、出入通路３ａに対する綱Ｂの挿入移動及び抜き取り移動に連動して出入通路３ａ内に向け出没移動（突出移動及び没入移動）自在に設けられる綱Ｂを位置決めするための係止手段３ｂと、を有している。出入通路３ａは、その一端に綱Ｂの出入口３ａ１を開口し、他端側に係止手段３ｂを介して貫通孔部２が形成されている。
【００１２】
出入部３の具体例としては、図１〜図５に示されるように、装置本体Ａ１などに固定配置される板状の固定部材３１を部分的に切欠形成するなどして、出入通路３ａがその一端を開口する形状に形成されている。
固定部材３１に対して板状の移動部材３２が、移送路１と交差する方向へ移動自在に配置され、移動部材３２の端面を部分的に切欠形成するなどして、係止手段３ｂがその一端を開口する形状に形成されている。
移動部材３２は、固定部材３１に対し支軸３３を中心として回転移動自在に支持され、係止手段３ｂの一部が出入通路３ａの出入口３ａ１と互いに部分的に重なり合う綱Ｂの出し入れ位置Ｐ１と、係止手段３ｂの一部が貫通孔部２と互いに部分的に重なり合う綱Ｂの綱掻き取り位置Ｐ２とに亘って、回転移動するように作動制御されている。
また、その他の例として図示しないが、固定部材３１に対して移動部材３２を直線方向へ往復移動自在に配置することも可能である。
なお、出入部３の変形例として図示しないが、爪状に形成された係止手段３ｂを、出入通路３ａの途中に回転移動又は直線移動自在に設け、出入通路３ａに対する綱Ｂの挿入及び抜き取りに連動して、爪状の係止手段３ｂを出入通路３ａの途中に向けて出没移動（突出移動及び没入移動）させるように構成することも可能である。
さらに、出入部３の変形例として図示しないが、出入通路３ａ及び係止手段３ｂの双方を移動自在に配置することも可能である。
【００１３】
そして、固定部材３１や装置本体Ａ１には、移動部材３２の移動範囲を規制するための制止手段４と、移送路１に沿って綱Ｂを動力で強制的に移動させる駆動部５を備えることが好ましい。
【００１４】
このような本発明の実施形態に係る綱掃除装置Ａによると、図１の二点鎖線及び図２（ａ）の実線に示される綱Ｂの出し入れ位置Ｐ１において、海中から陸上に取り出された綱Ｂを、出入部３により貫通孔部２へ向け挿入移動することで、図１の実線及び図２（ｂ）の実線に示されるように、綱Ｂの一部が貫通孔部２内に位置決めされると同時に、綱Ｂが移送路１に沿って移送可能にセットされる。
このセット状態で綱Ｂを移送路１に沿って移送させることにより、綱Ｂが貫通孔部２を通過する際に、綱Ｂの外表面Ｂ１から突出する付着物Ｃとなる、昆布の根株部分Ｃ１と海中で養殖期間中に繁殖した他の海草や貝類などの繁殖物Ｃ２が、貫通孔部２に突き当たってその衝撃により掻き取られ、すべての付着物Ｃが綱Ｂの外表面Ｂ１から除去される。
したがって、綱Ｂの外表面Ｂ１から昆布の根株部分Ｃ１とその他の海草や貝類などの繁殖物Ｃ２からなる付着物Ｃのすべてを確実に除去することができる。
その結果、綱Ｂの再利用が容易で、来期の養殖準備などを短時間で終えることができて便利である。
さらに、付着物Ｃの除去作業が終了した後は、図２（ｃ）に示されるように、綱Ｂを出入部３により貫通孔部２から抜き取り移動させることで、新たな綱Ｂの挿入が可能となるため、簡単な操作で付着物Ｃの除去作業を連続して行うことができ、作業全体のスピードアップが図れる。
【００１５】
ところで、綱Ｂの外表面Ｂ１から突出する付着物Ｃを除去するため、綱Ｂの外径よりも若干大径な貫通孔部２の周囲に形成される環状部材（図示せず）を複数に分割し、これら分割した前記環状部材の一部を蝶番などの連結部材（図示せず）で開閉移動自在に取り付け、前記環状部材を開動することで、貫通孔部２への綱Ｂの挿入及び抜き取りを可能とし、また前記環状部材を閉動することで、貫通孔部２に綱Ｂが位置決めされるように構成することが考えられる。
しかし、このように貫通孔部２の周囲に形成される環状部材を複数に分割して開閉移動自在に取り付けた構造では、貫通孔部２に対して綱Ｂの挿入及び抜き取りを行う度に環状部材を開閉操作する必要があるため、貫通孔部２への綱Ｂの挿入作業と貫通孔部２からの綱Ｂの抜き取り作業に手間がかかって時間を要するという問題がある。
特に、多数の綱Ｂから付着物Ｃを除去する作業が連続して行われる場合には、貫通孔部２に対する各綱Ｂの挿入作業と抜き取り作業に時間を要するため、作業全体を完了させるまでに長時間が必要になってしまった。
【００１６】
そこで、本発明の実施形態に係る綱掃除装置Ａでは、前述したように、出入部３が出入通路３ａと綱Ｂの係止手段３ｂを有し、出入通路３ａの一端に綱Ｂの出入口３ａ１を開口させ、出入通路３ａの他端側に係止手段３ｂを介して貫通孔部２が形成されるように構成している。
このような場合には、出入通路３ａの出入口３ａ１から綱Ｂを挿入し、そのまま出入通路３ａに沿って挿入移動させることにより、係止手段３ｂが没入移動して貫通孔部２内に綱Ｂが入る。それに伴い係止手段３ｂが突出移動して綱Ｂを貫通孔部２内に位置決めし、綱Ｂの外表面Ｂ１から突出する付着物Ｃの除去作業が行われる。また付着物Ｃの除去作業が終了した後は、綱Ｂを出入通路３ａの出入口３ａ１へ向けて抜き取り移動させることにより、係止手段３ｂが没入移動して通過可能となり、綱Ｂの抜き取り（抜去）と新たな綱Ｂの挿入が可能となる。
したがって、貫通孔部２に対する綱Ｂの挿入及び抜き取りと位置決めを簡単に行うことができる。
その結果、貫通孔部２の周囲に形成される環状部材を複数に分割して開閉移動自在に取り付けた構造に比べ、作業経験の有無に関係なく誰にでも貫通孔部２への綱Ｂの挿入作業と貫通孔部２からの綱Ｂの抜き取り作業がスムーズに行えて、綱Ｂの挿入作業及び抜き取り作業に要する時間を短縮化できる。それにより、多数の綱Ｂから付着物Ｃを除去する作業が連続して行われる場合であっても、貫通孔部２に対する綱Ｂの挿入作業と抜き取り作業をスムーズに行えるため、作業全体を短時間で完了させることができる。
また、係止手段３ｂによって綱Ｂが貫通孔部２内に位置決めされるため、付着物Ｃの除去作業中に綱Ｂが貫通孔部２の外に飛び出るなどの事故を防止できて、安全性の向上が図れる。
【００１７】
さらに、本発明の実施形態に係る綱掃除装置Ａでは、前述したように、出入部３が、固定部材３１に切欠形成される出入通路３ａと、固定部材３１に対し移送路１と交差する方向へ移動自在な移動部材３２に切欠形成される綱Ｂの係止手段３ｂを有し、移動部材３２が、係止手段３ｂが出入通路３ａの出入口３ａ１と互いに重なり合う綱Ｂの出し入れ位置Ｐ１と、係止手段３ｂが貫通孔部２と互いに重なり合う綱Ｂの掻き取り位置Ｐ２に亘って移動するように作動制御されている。
このような場合には、移動部材３２に切欠形成した係止手段３ｂが、固定部材３Ａに切欠形成した出入通路３ａの出入口３ａ１と互いに重なり合う綱Ｂの出し入れ位置Ｐ１において、綱Ｂが貫通孔部２へ向け挿入される。その後の綱Ｂの更なる挿入移動に伴って移動部材３２の係止手段３ｂが移動する。その後、係止手段３ｂが貫通孔部２と互いに重なり合う綱Ｂの掻き取り位置Ｐ２になったところで、綱Ｂを移送路１に沿って移動させることにより、綱Ｂが貫通孔部２を通過する際に、綱Ｂの外表面Ｂ１から突出する付着物Ｃが突き当たって掻き取られる。
したがって、簡単な構造でありながら貫通孔部２に対する綱Ｂの挿入及び抜き取りと位置決めを更に確実に行うことができる。
その結果、作業経験の有無に関係なく誰にでも貫通孔部２への綱Ｂの挿入作業と貫通孔部２からの綱Ｂの抜き取り作業がよりスムーズに行えて、綱Ｂの挿入作業及び抜き取り作業に要する時間を更に短縮化できる。
さらに、固定部材３１に対して綱Ｂの移送方向上流側に、移動部材３２を移送路１と交差する方向へ移動自在に配置した場合には、付着物Ｃの除去時に綱Ｂを移送させることにより、移動部材３２が固定部材３１に向け押し付けられて互いに圧接するため、固定部材３１に対して移動部材３２が移動し難くなる。
したがって、簡単な構造で付着物Ｃの除去中に綱Ｂが出入通路３ａに沿って抜き取り方向へ移動することを防止できる。
その結果、付着物Ｃの除去作業中に綱Ｂが貫通孔部２の外に飛び出るなどの事故を、簡単な構造でより確実に防止できて、更なる安全性の向上が図れる。
【実施例】
【００１８】
次に、本考案の一実施例を図面に基づいて説明する。
この実施例は、図１〜図５に示すように、固定部材３１又は固定部材３１が固定配置される装置本体Ａ１のいずれか一方か、若しくは固定部材３１及び装置本体Ａ１の両方に、移動部材３２の移動範囲を規制するための制止手段４として、綱Ｂの出し入れ位置Ｐ１に移動部材３２を止める第一ストッパー４１と、綱Ｂの掻き取り位置Ｐ２に移動部材３２を止める第二ストッパー４２を設けたものである。
【００１９】
図１〜図５に示される例では、装置本体Ａ１が箱状に形成され、その底面にキャスターなどの移動手段Ａ２を設けることが好ましい。
移動部材３２は、矩形の板状に形成され、装置本体Ａ１の上面に起立するように固定配置している。固定部材３１の上端には、出入通路３ａとなる切欠溝が略Ｕ字形に形成されている。
移動部材３２は、略三角形の板状に形成され、その下端部から固定部材３ａに亘って支軸３３を設け、支軸３３を介して固定部材３ａの前面に対し左右方向へ回転移動自在に支持される。移動部材３２の上端部には、綱Ｂの係止手段３ｂとなる切欠溝が略Ｕ字形に形成されている。
固定部材３１又は装置本体Ａ１の前面には、移動部材３２の一端面３２ａと対向する第一ストッパー４１と、移動部材３２の他端面３２ｂと対向する第二ストッパー４２がそれぞれ突出するように固定配置される。移動部材３２の回転移動により、その一端面３２ａを第一ストッパー４１に突き当てることで、移動部材３２が綱Ｂの出し入れ位置Ｐ１に移動停止され、移動部材３２の他端面３２ｂを第二ストッパー４２に突き当てることで、移動部材３２が綱Ｂの掻き取り位置Ｐ２に移動停止される。
また、その他の例として図示しないが、装置本体Ａ１の形状を図示例以外の形状に変更したり、固定部材３１及び移動部材３２の形状や配置を図示例以外の形状や配置に変更したり、制止手段４となる第一ストッパー４１及び第二ストッパー４２の形状や配置を図示例以外の形状や配置に変更することも可能である。
【００２０】
さらに、移動部材３２には、移動部材３２が綱Ｂの出し入れ位置Ｐ１に停止された状態で、装置本体Ａ１の上面から上方へ突出するガイド部３２ｃを設けることが好ましい。
ガイド部３２ｃは、綱Ｂの係止手段３ｂとなる略Ｕ字形の切欠溝を挟んで配置される一対の凸部のいずれか一方に形成され、移動部材３２が綱Ｂの出し入れ位置Ｐ１に停止した状態で、作業者が綱Ｂをガイド部３２ｃに接触させることにより、綱Ｂが出入通路３ａの出入口３ａ１に向けて誘導されるように構成している。
図１〜図５に示される例では、第二ストッパー４２と対向する移動部材３２の他端面３２ｂ側に配置される凸部を、第一ストッパー４１と対向する移動部材３２の一端面３２ａ側に配置される凸部よりも突出させて、移動部材３２の他端面３２ｂ側の凸部にガイド部３２ｃを形成している。それにより、移動部材３２は、ガイド部３２ｃに綱Ｂを当接させながら綱Ｂを引っ張るなどして張力を与えると、移動部材３２に対し綱Ｂの出し入れ位置Ｐ１から綱Ｂの掻き取り位置Ｐ２に向かう回転力が作用して、手などで回転させなくても移動部材３２が自然に同方向へ回転移動するようにしている。
また、その他の例として図示しないが、ガイド部３２ｃを設けなくてもよい。
【００２１】
そして、出入通路３ａとなる略Ｕ字形の切欠溝と、綱Ｂの係止手段３ｂとなる略Ｕ字形の切欠溝は、移動部材３２が綱Ｂの出し入れ位置Ｐ１及び綱Ｂの掻き取り位置Ｐ２に停止した状態で、それぞれ部分的に重なり合うように形成されている。
すなわち、図１の二点鎖線及び図２（ａ）（ｃ）の実線に示される綱Ｂの出し入れ位置Ｐ１では、出入通路３ａとなる切欠溝及び綱Ｂの係止手段３ｂとなる切欠溝の開口端同士が部分的に重なり合って、出入通路３ａの出入口３ａ１を移送路１における綱Ｂの移送方向と略平行に開口させるように設定されている。
図１の実線及び図２（ｂ）の実線に示される綱Ｂの掻き取り位置Ｐ２では、出入通路３ａとなる切欠溝及び綱Ｂの係止手段３ｂとなる切欠溝の閉鎖端同士が部分的に重なり合って、貫通孔部２を移送路１と綱Ｂの移送方向へ一直線上に開口させるように設定されている。
図１〜図５に示される例では、出入通路３ａとなる切欠溝を、その開口側に向かって第一ストッパー４１の方向へ向けて傾斜させている。
また、その他の例として、出入通路３ａとなる切欠溝や綱Ｂの係止手段３ｂとなる切欠溝を図示例以外の方向へ傾斜させるなど、変更することも可能である。
【００２２】
さらに、この実施例では、移送路１に沿って綱Ｂを動力で強制的に移動させる駆動部５を更に備えている。
駆動部５は、ローラー５ａと、ローラー５ａを回転させるモーターなどの駆動源５ｂと、ローラー５ａに駆動源５から動力伝達させる伝動部材５ｃと、を有している。
図１〜図５に示される例では、装置本体Ａ１の上面にローラー５ａを移送路１と接するように設け、移送路１に沿ってセットされた綱Ｂを、ローラー５ａに巻き付けた後に、ローラー５ａを駆動させることにより、綱Ｂが強制的に移送されて貫通孔部２を通過するように配置している。
また、その他の例として図示しないが、ローラー５ａを綱Ｂの巻き取り専用だけに限らず、それ以外に用いるなど、駆動部５の形状や配置や構造を図示例以外の形状や配置や構造に変更することも可能である。
【００２３】
このような本考案の実施例１に係る綱掃除装置Ａによると、移動部材３２の移動が綱Ｂの出し入れ位置Ｐ１で第一ストッパー４１により止められ、この停止状態で綱Ｂが出入通路３ａの出入口３ａ１から貫通孔部２へ向け挿入される。その後の綱Ｂの更なる挿入移動に伴って移動部材３２が移動し、綱Ｂの掻き取り位置Ｐ２になった時点で、第二ストッパー４２により移動部材３２の移動が止められる。この停止状態で、綱Ｂを移送路１に沿って移送させることにより、綱Ｂが貫通孔部２を通過する際に、綱Ｂの外表面Ｂ１から突出する付着物Ｃが突き当たって掻き取られる。
したがって、移動部材３２を所定位置に制止させることができる。
その結果、簡単な構成で貫通孔部２に対する綱Ｂの挿入及び抜き取りと、貫通孔部２による綱Ｂの付着物Ｃの除去作業を安定して行うことができ、作業の安定性が向上して不意な事故を防止することができるという利点がある。
【００２４】
さらに、移送路１に沿って綱Ｂを動力で強制的に移送させる駆動部５を備える場合には、駆動部５にて綱Ｂが動力で強制的に移送されて貫通孔部２を通過させることにより、綱Ｂの外表面Ｂ１から突出する付着物Ｃが、貫通孔部２に対し勢い良く突き当たって、その強い衝撃でスムーズに掻き取られる。
したがって、綱Ｂの外表面Ｂ１から昆布の根株部分とその他の海草や貝類などの繁殖物からなる付着物Ｂ２のすべてを自動的に且つ効率良く除去することができる。
その結果、付着物Ｂ２の除去作業を大幅にスピードアップできるとともに、非力な高齢者や女性などでも付着物Ｂ２の除去作業を行えて、誰にでも容易に操作できるという利点がある。
【００２５】
なお、前示実施例では、移動部材３２の移動範囲を規制するための制止手段４として、第一ストッパー４１及び第二ストッパー４２を設け、移送路１に沿って綱Ｂを動力で強制的に移動させる駆動部５を備えたが、これに限定されず、制止手段４や駆動部５は備えなくてもよい。
【符号の説明】
【００２６】
１  移送路                              ２  貫通孔部
３  出入部                              ３ａ  出入通路
３ａ１  出入口                          ３ｂ  係止手段
３１  固定部材                          ３２  移動部材
４１  第一ストッパー                    ４２  第二ストッパー
５  駆動部                              Ｂ  綱
Ｂ１  外表面                            Ｃ  付着物
Ｐ１  綱の出し入れ位置                  Ｐ２  綱の掻き取り位置
【図１】
0003182811.tif 000003
【図２】
0003182811.tif 000004
【図３】
0003182811.tif 000005
【図４】
0003182811.tif 000006
【図５】
0003182811.tif 000007